(57)【要約】  中空の針７と、該針７の基端部外周に固定した固定部８と、該固定部８の反針側に突出した可撓性を有する突出部９に取り付けられ、針７と連通し且つ内側にシリンジ１の先端部１ａを反針側から嵌合可能に構成された接続管１０と、固定部８の外周面から外方へ突出した把持部１１とを備える。接続管１０は内側にヘマトクリット管１３をも反針側から嵌合可能に構成されている。
2019003358.tif 000002
【特許請求の範囲】
【請求項１】
中空の針と、該針の基端部外周に固定した固定部と、該固定部の反針側に突出した突出部に取り付けられ、前記針と連通し且つ内側にシリンジの先端部を反針側から嵌合可能に構成された接続管と、前記固定部の外周面から外方へ突出した把持部とを備えた液体投与具。
【請求項２】
前記突出部は可撓性を有する、請求項１に記載の液体投与具。
【請求項３】
前記接続管は、内側にヘマトクリット管を反針側から嵌合可能に構成されている、請求項１に記載の液体投与具。
【請求項４】
前記突出部は可撓性を有する、請求項３に記載の液体投与具。
【請求項５】
前記把持部が、前記固定部の軸線と直交する方向に突出し且つ平行な状態に折り畳みが可能な二枚のフラップである、請求項１〜４のいずれか一項に記載の液体投与具。
【請求項６】
前記接続管の外周面から外方へ突出し、前記把持部と一緒に把持可能に構成された副把持部を備えた、請求項５に記載の液体投与具。
【請求項７】
前記把持部によって前記固定部を把持する側と前記針の先鋭部とが前記固定部の軸に関して互いに反対側になるように前記固定部と前記針とが固定されている、請求項５に記載の液体投与具。
【請求項８】
前記接続管の外周面から外方へ突出し、前記把持部と一緒に把持可能に構成された副把持部を備えた、請求項７に記載の液体投与具。
【請求項９】
前記把持部が、前記固定部の軸線と直交する方向に突出した一枚のフラップである、請求項１〜４のいずれか一項に記載の液体投与具。
【請求項１０】
前記把持部によって前記固定部を把持する側と前記針の先鋭部とが前記固定部の軸に関して互いに反対側になるように前記固定部と前記針とが固定されている、請求項９に記載の液体投与具。
【発明の詳細な説明】
【技術分野】
【０００１】
本発明は、小動物に対し注射により液体を投与するための投与具に関する。
【背景技術】
【０００２】
ラットやマウス、ウサギ等に代表される実験動物等の小動物に対する薬剤等の投与は、ゾンデや注射器等の液体投与具を用いて行われる。投与の方法には、経口投与、皮下投与、腹腔内投与、静脈内投与、筋肉内投与といった方法がある。【０００３】
注射器による投与では、例えば図１に示す如きシリンジ１の先端部１ａに注射針２を接続した注射器を用いる。注射針２を水平に保持し、注射針２の先鋭部２ａを下に向けた状態で対象の適宜箇所に穿刺し、ピストン３を押圧して外筒４内の薬液５を流し込む。【０００４】
尚、こうした液体投与具に関連する技術文献としては、例えば下記特許文献１等がある。
【先行技術文献】
【特許文献】
【０００５】
【特許文献１】国際公開第２０１２／１１１５３９号
【発明の概要】
【発明が解決しようとする課題】
【０００６】
ここで、投与の対象が上に挙げたような小動物である場合、注射器による投与は、人や大型の家畜等を対象とする場合に比べて繊細な作業である。対象のサイズが小さいため、必然的にそれに応じた小さい器具を用いざるを得ない。しかも、注射の際にはゴム手袋等を着用することも多いので、精密な操作がしづらい。また、動き回る対象を保定あるいは固定する必要もある。注射に際しては、例えば片手で対象を保定しつつ、もう片手で小さい注射針や注射器を操作することになり、これを短時間で正確に行うには熟練を要する。【０００７】
特に、静脈内投与の場合にはこの問題が顕著である。静脈内投与にあたっては、血管を視認しやすい箇所（ラットやマウスの場合は尾部、ウサギであれば耳等）を選択し、対象を保定あるいは固定し、静脈へ正確に注射針を穿刺しなくてはならない。例えばマウスに対し静脈内投与を行う場合には、尾部を固定して静脈を怒張させ、そこへ注射針を水平に差し込んで薬液を送り込む。この際、尾部の細い静脈に注射針の先端を合致させる操作には高い技術を要する。このように、小動物への液剤の投与を短時間で効率良く行うことは一般に困難であった。【０００８】
対象が小動物でなく人間等であれば、例えば把持部を備えた翼状針を静脈に穿刺し、翼状針の基端部にチューブを介して接続したシリンジから薬液を送り込むといった方法もある。しかしながら、この方法ではどうしてもチューブ内に薬液が残ってしまう。このため、少量の薬液を正確に投与しなくてはならない小動物の場合には適した方法とは言えない。すなわち、小動物への注射の用途に合った簡便な液体投与具は知られていないのが実情であった。【０００９】
本発明は、斯かる実情に鑑み、小動物に対し短時間で効率良く液剤の投与を実施し得る液体投与具を提供しようとするものである。
【課題を解決するための手段】
【００１０】
本発明は、中空の針と、該針の基端部外周に固定した固定部と、該固定部の反針側に突出した突出部に取り付けられ、前記針と連通し且つ内側にシリンジの先端部を反針側から嵌合可能に構成された接続管と、前記固定部の外周面から外方へ突出した把持部とを備えた液体投与具にかかるものである。【００１１】
本発明の液体投与具において、前記接続管は、内側にヘマトクリット管を反針側から嵌合可能に構成されていることが好ましい。【００１２】
本発明の液体投与具において、前記突出部は可撓性を有することが好ましい。【００１３】
本発明の液体投与具においては、前記把持部を、前記固定部の軸線と直交する方向に突出し且つ平行な状態に折り畳みが可能な二枚のフラップとすることができる。【００１４】
本発明の液体投与具においては、前記把持部を、前記固定部の軸線と直交する方向に突出した一枚のフラップとすることができる。【００１５】
本発明の液体投与具においては、前記把持部によって前記固定部を把持する側と前記針の先鋭部とが前記固定部の軸に関して互いに反対側になるように前記固定部と前記針とが固定されていることが好ましい。【００１６】
本発明の液体投与具においては、前記接続管の外周面から外方へ突出し、前記把持部と一緒に把持可能に構成された副把持部を備えることができる。
【発明の効果】
【００１７】
本発明の液体投与具によれば、小動物に対し短時間で効率良く液剤の投与を実施し得るという優れた効果を奏し得る。
【図面の簡単な説明】
【００１８】
【図１】従来の液体投与具の一例を示す側面図である。
【図２】本発明の液体投与具を実施する形態の一例を示す平断面図である。
【図３】本発明の液体投与具を実施する形態の一例を示す正面図であり、図２のＩＩＩ−ＩＩＩ矢視相当図である。
【図４】本発明の液体投与具を実施する形態の別の例を示す平断面図である。
【図５】本発明の液体投与具を実施する形態のまた別の例を示す側面図である。
【図６】本発明の液体投与具を実施する形態のさらに別の例を示す側面図である。
【図７】本発明の液体投与具の使用状態を示す側面図である。
【発明を実施するための形態】
【００１９】
以下、本発明の実施の形態を添付図面を参照して説明する。
【００２０】
図２、図３は本発明の実施による液体投与具の形態の一例を示している。図中、図１と同一の符号を付した部分は同一物を表している。本実施例の液体投与具６は、図２に示す如く、対象に穿刺する中空の針７と、該針７の基端部外周を包囲するように筒状を有して固定された細径の固定部８と、該固定部８の反針側に突出した突出部９に取り付けられて針７と連通する接続管１０と、固定部８の外周面から離反する方向である外方へ突出した把持部１１を備えてなる。
【００２１】
固定部８は、針７の外径の２倍以上４倍以下程度の外径を有し、例えば外径０．６５ｍｍの針７に対し、１．３ｍｍ〜２．６ｍｍ程度の細径の外径を有する。
【００２２】
固定部８の突出部９は可撓性を備えている。例えば、軟質の合成樹脂等で固定部８を形成し、該固定部８の端部に薄肉にした突出部９を形成することにより、該突出部９に可撓性を持たせることができる。
【００２３】
接続管１０は、図２に示す如く、先端側の第一接続部１０ａと、該第一接続部１０ａの基端側に該第一接続部１０ａの外周を包囲するように筒状を有して固定された第二接続部１０ｂを備えてなる。第一接続部１０ａは、図２に示す如く先端側（針側）において突出部９と接続されている。第一接続部１０ａは、基端側（反針側）においては仮想線で示すヘマトクリット管１３の外径に合った内径Ｄ１を備えている。こうして、第一接続部１０ａは、反針側からヘマトクリット管１３を挿入して内側に着脱可能に嵌合できるようになっている。第二接続部１０ｂは、先端側において第一接続部１０ａと接続されている。第二接続部１０ｂは、基端側においては仮想線で示すシリンジ１の先端部１ａの外径に合った内径Ｄ２を備えている。こうして、第二接続部１０ｂは、反針側からシリンジ１の先端部１ａを挿入して内側に着脱可能に嵌合できるようになっている。尚、突出部９と第一接続部１０ａ、第一接続部１０ａと第二接続部１０ｂの間は、それぞれ接着剤等で固定されている。
【００２４】
こうして、本実施例の液体投与具６は、第一接続部１０ａと第二接続部１０ｂを備えた接続管１０により、シリンジ１の他にヘマトクリット管１３も接続できるように構成してある。液体等用具６は、液剤の投与のほか、後述するように採血にも使用することができるようになっている。
【００２５】
把持部１１は、固定部８の軸線と直交する方向に突出した二枚のフラップ１２ａ，１２ｂである。このフラップ１２ａ，１２ｂは、図２、図３に示す如く、針７を水平にし、且つ該針７の先鋭部７ａを下にした状態において、固定部８から水平方向に張り出すような位置関係で固定部８に備えられる。また、各フラップ１２ａ，１２ｂには、この状態において下側にあたる面に、滑り止め用の凹凸部１２ｃが形成されている。
【００２６】
フラップ１２ａ，１２ｂは可撓性を有しており、図３に仮想線で示す如く、固定部８を包むように上側に平行な状態に折り畳んで把持できるようになっている。すなわち、後述する穿刺時において、両フラップ１２ａ，１２ｂを凹凸部１２ｃの施された面が外側に来るように持ち上げ、針７を水平に把持すると、先鋭部７ａが必ず下側に位置するようになっている。
【００２７】
尚、接続管１０の構成は、ここに示した例に限定されない。例えば、図２に示す如く別々に形成した第一接続部１０ａと第二接続部１０ｂを接合するのではなく、図４に示す如く、第一接続部１０ａと第二接続部１０ｂにあたる部品を一体成型した一個の接続管１０として構成することもできる。ここに示した接続管１０では、第一接続部１０ａ（図２参照）にあたる最も先端側の内径Ｄ３が突出部９の外径と合致している。また、第二接続部１０ｂ（図２参照）にあたる基端側の内径Ｄ４がシリンジ１の先端部１ａ（図２参照）の外径と合致している。さらに、中間部の内径Ｄ５がヘマトクリット管１３（図２参照）の外径と合致している。接続管１０の先端部には、突出部９を嵌合して接着剤等により固定している。一方、接続管１０には、反針側からシリンジ１の先端部１ａ（図２参照）またはヘマトクリット管１３（図２参照）を着脱可能に嵌合できるようになっている。尚、ここでは内径Ｄ３が内径Ｄ５より大きい場合を例示しているが、ヘマトクリット管１３（図２参照）の寸法やその他の条件に合わせ、内径Ｄ３を内径Ｄ５より小さくしても良いし、内径Ｄ３と内径Ｄ５が一致するよう構成することもできる。
【００２８】
また、液体投与具６の用途によっては、必ずしも接続管１０にヘマトクリット管１３を嵌合できるように構成する必要はない。すなわち、液体投与具６を採血に用いない場合や、後述するようにシリンジ１を用いて吸引により採血を行う場合には、液体投与具６にはヘマトクリット管１３を接続せずとも良い。こうした場合には、シリンジ１のみ接続できるようになっていれば十分である。
【００２９】
さらに、図５に示す如く、固定部８の把持部１１に加え、接続管１０の外周面から外方へ突出した副把持部１４を備えても良い。この副把持部１４は、接続管１０の軸に関して針７の先鋭部７ａとは反対側に、軸から離反する方向へ張り出したフラップである。フラップとしての副把持部１４は、接続管１０本体より先端側へ迫り出している。そして、仮想線で示すように把持部１１を把持した際に、把持部１１の二枚のフラップ１２ａ，１２ｂに挟むようにして一緒に把持できるようになっている。
【００３０】
固定部８の把持部１１についても、図２、図３に示す如き構成に限定されない。例えば図６に示す如く、固定部８の軸に関して針７の先鋭部７ａとは反対側に、固定部８の軸線と直交する方向へ突出した一枚のフラップ１２ｄとして把持部１１を構成することもできる。尚、ここに示した例の場合、フラップ１２ｄの両面に凹凸部１２ｃが施されている。
【００３１】
次に、上記した本実施例の作動を説明する。
【００３２】
図７は上述の液体投与具６を用いて小動物に対し液剤を投与する場合を例示している。尚、ここに示した例では、マウスの尾部に静脈内投与を行うことを想定している。この他に、本発明の液体投与具６は、皮下投与、腹腔内投与、筋肉内投与といった各方法に用いることができる。また、マウスの他にラット、ウサギ、モルモット、マーモセット、その他各種の小動物に対しても適用し得ることは勿論である。
【００３３】
投与にあたっては、ここに示す如く、二枚のフラップ１２ａ，１２ｂによる把持部１１を、固定部８を包むように上方に折り曲げて手指でしっかりと把持し、針７を水平に保持する。この際、凹凸部１２ｃの施された面が外側に来るように二枚のフラップ１２ａ，１２ｂを把持する。こうすることで、凹凸部１２ｃが手指に対する滑り止めとして機能する。
【００３４】
また、上述の如く、把持部１１によって固定部８を把持する側と、針７の先鋭部７ａとが固定部８の軸に関して互いに反対側になるよう、固定部８と針７とが固定されている。このため、二枚のフラップ１２ａ，１２ｂをこのように保持すれば、針７の先鋭部７ａが自動的に下を向くことになる。したがって、穿刺にあたって先鋭部７ａの位置を確認する必要がなく、便利である。すなわち、凹凸部１２ｃは穿刺に際し、滑り止めの他に目印及び位置決めの機能も果たすようになっている。
【００３５】
尚、ここで、図５に示す如く接続管１０に副把持部１４を備えた液体投与具６を用いる場合には、把持部１１と共に副把持部１４を把持する。こうすることにより、固定部８に加えて接続管１０をも同時に手指で固定することができ、穿刺に際して液体投与具６全体を一層確実に保持することができる。
【００３６】
また、図６に示す如き一枚のフラップ１２ｄによる把持部１１を備えた液体投与具６を用いる場合には、単に把持部１１が針７に対し上側に位置するように把持すれば良い。こうすれば、自動的に先鋭部７ａが下向きの正しい向きに位置決めされることになる。
【００３７】
把持部１１を把持した状態で、対象の適宜位置（この場合は、マウスの尾部）に針７を水平に穿刺し、接続管１０に接続したシリンジ１から薬液５を送り込む。このようにすれば、針７を含む液体投与具６全体を把持部１１を介して確実に保持した状態で、針７を浅い穿刺角度により対象部位に穿刺できる。このため、例えば小動物に対する静脈内投与の場合にも、細い静脈に針７の先端を一致させる操作が容易になる。したがって、熟練を要することなく短時間で簡便に投与を実行することができる。
【００３８】
また、この際、可撓性を有する突出部９を屈曲させることにより、針７を水平に保ちつつ、液体投与具６に接続したシリンジ１の反針側を対象に対し斜め上に持ち上げることができる。このようにシリンジ１の位置を調整することにより、投与に際して穿刺角度をより浅くすることができ、対象に対し針７の先端を一致させる等の操作が一層容易になる。
【００３９】
さらに、本実施例の液体投与具６の場合、上述の如く接続管１０にシリンジ１の他、ヘマトクリット管１３（図２参照）をも接続できるようになっている。このため、同一の液体投与具６により、投与の他にヘマトクリット管１３を用いた採血にも対応可能となっている。採血は、上述の手順と共通する操作で同様に効率的かつ簡便に行うことができ、便利である。尚、この際、上述した投与の場合とは逆に、突出部９を屈曲させてヘマトクリット管１３の反針側を下側に下げると良い。こうすれば、毛細管現象による吸引作用が重力によって高められるので、採血にかかる時間を短縮することが可能である。
【００４０】
また、液体投与具６がヘマトクリット管１３（図２参照）を接続可能に構成されていない場合であっても、接続管１０に接続したシリンジ１を用いて血液を吸引することにより、好適に採血を行うことができる。
【００４１】
以上のように、上記本実施例においては、中空の針７と、該針７の基端部外周に固定した固定部８と、該固定部８の反針側に突出した突出部９に取り付けられ、針７と連通し且つ内側にシリンジ１の先端部１ａを反針側から嵌合可能に構成された接続管１０と、固定部８の外周面から外方へ突出した把持部１１とを備えている。したがって、把持部１１を把持して針７を対象部位に穿刺し、シリンジ１から薬液５を送り込むことで、小動物に対し簡便に薬剤を投与することができる。
【００４２】
また、上記本実施例において、接続管１０は、内側にヘマトクリット管１３を反針側から嵌合可能に構成されている。したがって、同じ液体投与具６によりヘマトクリット管１３を用いた採血にも対応し得る。
【００４３】
また、上記本実施例において、突出部９は可撓性を有する。したがって、該突出部９を屈曲させることにより液体投与具６に接続したシリンジ１やヘマトクリット管１３等の器具の位置を調整し、投与や採血の操作をより容易にすることができる。
【００４４】
また、上記本実施例においては、把持部１１を、固定部８の軸線と直交する方向に突出し且つ平行な状態に折り畳みが可能な二枚のフラップ１２ａ，１２ｂとすることができる。このようにすれば、液体投与具６の保持を確実なものとすることができる。
【００４５】
また、上記本実施例においては、把持部１１を、固定部８の軸線と直交する方向に突出した一枚のフラップ１２ｄとすることもできる。このようにしても、液体投与具６の保持を確実なものとすることができる。
【００４６】
また、上記本実施例においては、把持部１１によって固定部８を把持する側と針７の先鋭部７ａとが固定部８の軸に関して互いに反対側になるように固定部８と針７とが固定されている。したがって、把持部１１を把持すれば針７の先鋭部７ａが自動的に下向きとなり、穿刺に際して針７の位置決めを容易にすることができる。
【００４７】
また、上記本実施例においては、接続管１０の外周面から外方へ突出し、把持部１１と一緒に把持可能に構成された副把持部１４を備えることができる。このようにすれば、穿刺に際して液体投与具６を一層確実に保持することができる。
【００４８】
したがって、上記本実施例によれば、小動物に対し短時間で効率良く液剤の投与を実施し得る。
【００４９】
尚、本発明の液体投与具は、上述の実施例にのみ限定されるものではなく、本発明の要旨を逸脱しない範囲内において種々変更を加え得ることは勿論である。
【符号の説明】
【００５０】
１    シリンジ
１ａ  先端部
６    液体投与具
７    針
７ａ  先鋭部
８    固定部
９    突出部
１０    接続管
１１    把持部
１２ａ  フラップ
１２ｂ  フラップ
１２ｄ  フラップ
１３    ヘマトクリット管
１４    副把持部
【図１】
2019003358.tif 000003
【図２】
2019003358.tif 000004
【図３】
2019003358.tif 000005
【図４】
2019003358.tif 000006
【図５】
2019003358.tif 000007
【図６】
2019003358.tif 000008
【図７】
2019003358.tif 000009
【国際調査報告】
2019003358.tif 000010
2019003358.tif 000011
2019003358.tif 000012
2019003358.tif 000013